(57)【要約】【課題】二次電池が装着される携帯用電子装置のＭＰＵを利用して二次電池の充放電を制御する充放電システム及び充放電制御方法を提供すること。【解決手段】本発明によると、少なくとも一つのベアセルを含む二次電池を備え、前記二次電池は、前記二次電池の状態を前記少なくとも一つのベアセルを充電する充電状態または前記少なくとも一つのベアセルに放電させる放電状態の間で切り替える充放電スイッチングモジュールと、前記二次電池について検出された情報に基づいてアナログ信号を生成し、前記アナログ信号を前記二次電子の外部に伝送するアナログフロントエンドと、を含み、前記二次電子の外部に配置され、前記アナログフロントエンドから前記アナログ信号を受信し、前記アナログ信号に応じて前記充放電スイッチングモジュールを制御するプロセッサ、をさらに備えることを特徴とする、電子装置が提供される。【選択図】図１
2010183829.tif 000002
【特許請求の範囲】
【請求項１】
少なくとも一つのベアセルを含む二次電池を備え、
前記二次電池は、
前記二次電池の状態を前記少なくとも一つのベアセルを充電する充電状態及び前記少なくとも一つのベアセルに放電させる放電状態の間で切り替える充放電スイッチングモジュールと、
前記二次電池について検出された情報に基づいてアナログ信号を生成し、前記アナログ信号を前記二次電子の外部に伝送するアナログフロントエンドと、
を含み、
前記二次電子の外部に配置され、前記アナログフロントエンドから前記アナログ信号を受信し、前記アナログ信号に応じて前記充放電スイッチングモジュールを制御するプロセッサ、をさらに備えることを特徴とする、
電子装置。
【請求項２】
前記情報は、前記少なくとも一つのベアセルの電圧情報を含むことを特徴とする、請求項１に記載の電子装置。
【請求項３】
前記少なくとも一つのベアセルは、直列に連結された複数のベアセルを含むことを特徴とする、請求項２に記載の電子装置。
【請求項４】
前記電圧情報は、前記複数のベアセルそれぞれの個別電圧情報を含むことを特徴とする、請求項３に記載の電子装置。
【請求項５】
前記充放電スイッチングモジュールは、充電スイッチング素子と放電スイッチング素子を含み、前記二次電池は、前記充電スイッチング素子と前記放電スイッチング素子が活性化される際に充電状態または放電状態になることを特徴とする、請求項１に記載の電子装置。
【請求項６】
前記充電スイッチング素子と放電スイッチング素子それぞれは、電界効果トランジスタを含み、前記電界効果トランジスタに寄生ダイオードが並列に形成されていることを特徴とする、請求項５に記載の電子装置。
【請求項７】
前記二次電池は、前記二次電池を流れる電流の量を測定する電流検出素子をさらに含み、前記情報は前記電流の量に関する情報を含んでいることを特徴とする、請求項１に記載の電子装置。
【請求項８】
前記プロセッサは、前記電流の量に異常がある場合、前記少なくとも一つのベアセルの充電または放電を中止させるように構成されることを特徴とする、請求項７に記載の電子装置。
【請求項９】
前記二次電池は、前記少なくとも一つのベアセルの温度を測定する温度検出素子をさらに含み、前記情報は前記温度に関する情報を含んでいることを特徴とする、請求項１に記載の電子装置。
【請求項１０】
前記プロセッサは、前記温度に異常がある場合、前記少なくとも一つのベアセルの充電または放電を中止させるように構成されることを特徴とする、請求項９に記載の電子装置。
【請求項１１】
前記二次電池が放電状態である時、前記二次電池から電源を提供し、前記二次電池が充電状態である時、外部電源から前記二次電池に電源を供給する電源供給部をさらに含むことを特徴とする、請求項１に記載の電子装置。
【請求項１２】
電子装置のプロセッサから二次電池へ情報を要請する段階と、
前記プロセッサにおいて、前記二次電池から前記要請された情報に対応するアナログ信号を受信する段階と、
前記プロセッサにおいて、前記アナログ信号に基づいて前記二次電池の状態を確認する段階と、
前記プロセッサから、前記二次電池の状態によって前記二次電池の充電と放電を制御するために前記二次電池に制御信号を送信する段階と、
を含むことを特徴とする、二次電池の充放電制御方法。
【請求項１３】
前記二次電池は前記要請された情報を検出し、前記要請された情報に基づいてアナログ信号を生成することを特徴とする、請求項１２に記載の二次電池の充放電制御方法。
【請求項１４】
前記プロセッサは、前記二次電池の状態が異常状態であることを感知した時、前記制御信号を用いて、前記二次電池の充電または放電を中止させることを特徴とする、請求項１２に記載の二次電池の充放電制御方法。
【請求項１５】
前記要請された情報は、前記二次電池の一つまたは複数のベアセルの電圧情報を含んでいることを特徴とする、請求項１２に記載の二次電池の充放電制御方法。
【請求項１６】
前記要請された情報は、前記二次電池を流れる電流の量に関する情報を含んでいることを特徴とする、請求項１２に記載の二次電池の充放電制御方法。
【請求項１７】
前記要請された情報は、前記二次電池の一つまたは複数のベアセルの温度を含んでいることを特徴とする、請求項１２に記載の二次電池の充放電制御方法。
【請求項１８】
少なくとも一つのベアセルと、
前記少なくとも一つのベアセルを充放電するための充放電スイッチングモジュールと、
前記少なくとも一つのベアセルについて検出された情報を含むアナログ信号を生成し、外部素子に前記アナログ信号を送信するアナログフロントエンドと、
を含むことを特徴とする二次電池。
【請求項１９】
前記情報は、前記少なくとも一つのベアセルの電圧に関する情報を含んでいることを特徴とする、請求項１８に記載の二次電池。
【請求項２０】
前記情報は、前記二次電池を流れる電流の量に関する情報を含んでいることを特徴とする、請求項１８に記載の二次電池。
【請求項２１】
前記情報は、前記少なくとも一つのベアセルの温度に関する情報を含んでいることを特徴とする、請求項１８に記載の二次電池。
【請求項２２】
前記二次電子は、前記アナログ信号を処理するように構成されたプロセッサを含んでいないことを特徴とする、請求項１８に記載の二次電池。
【発明の詳細な説明】
【技術分野】
【０００１】
本発明は二次電池に関するものであって、特に、二次電池の充放電システム及び二次電池の充放電制御方法に関するものである。
【背景技術】
【０００２】
近年、電子、通信及びコンピュータ産業の急速な発展に伴って携帯用電子装置が広く普及している。携帯用電子装置の電源には、再充電が可能な二次電池が主に使われている。
【０００３】
携帯用コンピュータのような携帯用電子装置に装着されて充放電される従来の二次電池は、ベアセル、充放電スイッチングモジュール、電流検出素子、温度測定素子、マイクロプロセッサユニット（ＭＰＵ：Ｍｉｃｒｏ‐Ｐｒｏｃｅｓｓｏｒ  Ｕｎｉｔ）、アナログフロントエンド（ＡＦＥ：Ａｎａｌｏｇ  Ｆｒｏｎｔ  Ｅｎｄ）を備える。ＡＦＥは、ベアセル、電流検出素子及び温度測定素子から検出された二次電池の情報（ベアセルの電圧、充放電電流及びベアセルの温度など）をデジタルデータに変換してＭＰＵに伝達する。ＭＰＵは、ＡＦＥから伝達された二次電池の情報から二次電池の状態を確認した後、ＡＦＥに適切な制御信号を伝達する。ＡＦＥは、ＭＰＵから伝達された制御信号に応じて充放電スイッチングモジュールの動作を調節し、それによって二次電池の充放電が制御される。二次電池のＭＰＵは、デジタルデータである二次電池の情報をＳＭバスを介して携帯用電子装置のＭＰＵに伝達する。携帯用電子装置のＭＰＵは、二次電池のＭＰＵから伝達された二次電池の情報を利用して充電電流及び放電電流を制御する。
【発明の概要】
【発明が解決しようとする課題】
【０００４】
本発明の目的は、二次電池が装着される携帯用電子装置のＭＰＵを利用して二次電池の充放電を制御する充放電システム及び充放電制御方法を提供することにある。
【課題を解決するための手段】
【０００５】
上述の目的を達成するために、本発明の実施例による電子装置は、少なくとも一つのベアセルを含む二次電池を備え、上記二次電池は、上記二次電池の状態を上記少なくとも一つのベアセルを充電する充電状態及び上記少なくとも一つのベアセルに放電させる放電状態の間で切り替える充放電スイッチングモジュールと、上記二次電池について検出された情報に基づいてアナログ信号を生成し、上記アナログ信号を上記二次電子の外部へ伝送するアナログフロントエンドと、を含み、上記二次電子の外部に配置され、上記アナログフロントエンドから上記アナログ信号を受信し、上記アナログ信号に応じて上記充放電スイッチングモジュールを制御するプロセッサ、をさらに備えることを特徴とする。
【０００６】
上記情報は上記少なくとも一つのベアセルの電圧情報を含んでもよい。
【０００７】
上記少なくとも一つのベアセルは、直列に連結された複数のベアセルを含んでもよい。
【０００８】
上記電圧情報は、上記複数のベアセルの個別電圧情報を含んでもよい。
【０００９】
上記充放電スイッチングモジュールは、充電スイッチング素子と放電スイッチング素子を含み、上記二次電池は、上記充電スイッチング素子と上記放電スイッチング素子が活性化される際に充電状態または放電状態になってもよい。
【００１０】
上記充電スイッチング素子と放電スイッチング素子それぞれは、電界効果トランジスタを含み、上記電界効果トランジスタに寄生ダイオードが並列に形成されてもよい。
【００１１】
上記二次電池は、上記二次電池を流れる電流の量を測定する電流検出素子をさらに含み、上記情報は上記電流の量に関する情報を含んでもよい。ここで、上記プロセッサは、上記電流の量に異常がある場合、上記少なくとも一つのベアセルの充電または放電を中止させるように設定されてもよい。
【００１２】
上記二次電池は、上記少なくとも一つのベアセルの温度を測定するための温度検出素子をさらに含み、上記情報は上記温度に関する情報を含んでもよい。ここで、上記プロセッサは、上記温度に異常がある場合、上記少なくとも一つのベアセルの充電または放電を中止させるように設定されてもよい。
【００１３】
また、上記電子装置は、上記二次電池が放電状態である時、上記二次電池から電源を提供し、上記二次電池が充電状態である時、外部電源から上記二次電池に電源を供給する電源供給部をさらに含んでもよい。
【００１４】
また、上述の目的を達成するために、本発明の実施例による二次電子の充放電制御方法は、電子装置のプロセッサから二次電池へ情報を要請する段階と、上記プロセッサにおいて、上記二次電池から上記要請された情報に対応するアナログ信号を受信する段階と、上記プロセッサにおいて、上記アナログ信号に基づいて上記二次電池の状態を確認する段階と、上記プロセッサから、上記二次電池の状態によって上記二次電池の充電と放電を制御するために上記二次電池に制御信号を送信する段階と、を含むことを特徴とする。
【００１５】
上記二次電池は上記要請された情報を検出し、上記要請された情報に基づいてアナログ信号を生成してもよい。
【００１６】
上記プロセッサは、上記二次電池の状態が異常状態であることを感知した時、上記制御信号を用いて、上記二次電池の充電または放電を中止させてもよい。
【００１７】
上記要請された情報は、上記二次電池の一つまたは複数のベアセルの電圧情報を含んでもよい。
【００１８】
上記要請された情報は、上記二次電池を流れる電流の量を含んでもよい。
【００１９】
上記要請された情報は、上記二次電池の一つまたは複数のベアセルの温度を含んでもよい。
【００２０】
また、上述の目的を達成するために、本発明の実施例による二次電子は、少なくとも一つのベアセルと、上記少なくとも一つのベアセルを充放電するための充放電スイッチングモジュールと、上記少なくとも一つのベアセルについて検出された情報を含むアナログ信号を生成し、外部装置に上記アナログ信号を送信するアナログフロントエンドと、を含むことを特徴とする。
【００２１】
上記情報は、上記少なくとも一つのベアセルの電圧に関する情報を含んでもよい。
【００２２】
上記情報は、上記二次電池を流れる電流の量に関する情報を含んでもよい。
【００２３】
上記情報は、上記少なくとも一つのベアセルの温度に関する情報を含んでもよい。
【００２４】
上記二次電子は、上記アナログ信号を処理するように構成されたプロセッサを含んでいなくてもよい。
【発明の効果】
【００２５】
本発明の構成によれば、上記の本発明の目的を達成することができる。具体的には、本発明によれば、二次電池の充放電が、二次電池が装着される携帯用電子装置に設けられたＭＰＵによって制御されるので、二次電池にはＭＰＵが必要なくなる。よって、二次電池の構成が単純になり、製造費用が節減されるという効果がある。
【図面の簡単な説明】
【００２６】
【図１】本発明の一実施例に係る二次電池の充放電システムのブロック図である。
【図２】図１に図示された二次電池の充放電システムを利用して二次電池を充放電する方法を示すフローチャートである。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付すことにより重複説明を省略する。
【００２８】
図１は本発明の一実施例に係る二次電池の充放電システムのブロック図である。
【００２９】
図１を参照すると、二次電池の充放電システム１００は、二次電池２００と、二次電池２００が装着された携帯用電子装置３００を備える。
【００３０】
二次電池２００は、ベアセル２１０、充放電スイッチングモジュール２２０、電流検出素子２３０、温度検出素子２４０、アナログフロントエンド（ＡＦＥ）２５０及び多数の外部端子２６０ａ、２６０ｂ、２６０ｃ、２６０ｄを備える。
【００３１】
ベアセル２１０は電気エネルギーを保存して外部に提供する構成を有し、正極２１１と負極２１２を備える。ベアセル２１０はリチウムイオン電池またはリチウムポリマー電池であることができる。ベアセル２１０の開路電圧はアナログ信号としてアナログフロントエンド２５０に伝達される。図面上には多数個のベアセル２１０が直列に連結されているが、本発明はこれに制限されるのではない。多数個のベアセル２１０が並列に連結されてもよく、又は多数個のベアセルが直列と並列の組み合わせで連結されて構成されてもよい。また、一つのベアセルだけで構成されてもよい。
【００３２】
上記充放電スイッチングモジュール２２０は、充電スイッチング素子２２１と放電スイッチング素子２２２を備える。充放電スイッチングモジュール２２０は充電及び放電による電流の方向を設定する。
【００３３】
充電スイッチング素子２２１は、充電ＦＥＴ（電界効果トランジスタ）２２１ａ及び充電ＦＥＴ２２１ａに並列形成された充電ＦＥＴ用寄生ダイオード２２１ｂを備える。充電ＦＥＴ２２１ａは、ドレインとソースがベアセル２１０の大電流経路１０上に位置するように設けられる。本発明において、大電流経路１０とはベアセル２１０の充放電電流が流れる経路を意味する。充電ＦＥＴ２２１ａは、ゲートを介してアナログフロントエンド２５０から入力される制御信号を受信してオンまたはオフされる。充電時には、充電ＦＥＴ２２１ａは放電ＦＥＴ２２２ａと共にオン（活性化）されて第１正極端子２６０ａ及び第１負極端子２６０ｂを介して携帯用電子装置３００からベアセル２１０に充電電流を印加する役割を果たす。
【００３４】
充電ＦＥＴ用寄生ダイオード２２１ｂは充電電流方向に対して逆方向に形成される。ここで、充電ＦＥＴ用寄生ダイオード２２１ｂは、充電ＦＥＴ２２１ａがオフされた時、放電電流の経路を提供する。
【００３５】
上記放電スイッチング素子２２２は、放電ＦＥＴ２２２ａ及び放電ＦＥＴ２２２ａに並列形成された放電ＦＥＴ用寄生ダイオード２２２ｂを備える。
【００３６】
上記放電ＦＥＴ２２２ａは、ドレインとソースがベアセル２１０の大電流経路１０上に位置するように設けられる。放電ＦＥＴ２２２ａは、ゲートを介してアナログフロントエンド２５０から入力される制御信号を受信してオンまたはオフされる。放電時には、放電ＦＥＴ２２２ａは、充電ＦＥＴ２２１ａと共にオン（活性化）されて第１正極端子２６０ａ及び第１負極端子２６０ｂを介して携帯用電子装置３００にベアセル２１０の放電電流を印加する役割を果たす。
【００３７】
放電ＦＥＴ用寄生ダイオード２２２ｂは、放電電流方向に対して逆方向に形成される。ここで、放電ＦＥＴ用寄生ダイオード２２２ｂは、放電ＦＥＴ２２２ａがオフされた時、充電電流の経路を提供する。
【００３８】
電流検出素子２３０は大電流経路１０上に設けられる。電流検出素子２３０の両端はアナログフロントエンド２５０に電気的に連結される。本実施例の場合、電流検出素子２３０はセンスレジスタ（Ｓｅｎｓｅ  Ｒｅｓｉｓｔｏｒ）で形成される。電流検出素子２３０の両端間の電圧差がアナログ信号としてアナログフロントエンド２５０に伝達され、伝達された電圧差は大電流経路１０上の電流値計算に利用される。
【００３９】
温度検出素子２４０はベアセル２１０に近接して位置し、アナログフロントエンド２５０に電気的に連結される。本実施例では、温度検出素子２４０がサーミスタ（ｔｈｅｒｍｉｓｔｏｒ）で形成される。温度検出素子２４０によってベアセル２１０の温度が検出され、検出されたベアセル２１０の温度はアナログ信号としてアナログフロントエンド２５０に伝達される。
【００４０】
アナログフロントエンド２５０は、注文型半導体（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）からなる。アナログフロントエンド２５０はベアセル２１０の開路電圧を検出し、これを携帯用電子装置３００の電圧レベルに合わせてスケーリング（ｓｃａｌｉｎｇ）したアナログ信号を第１情報端子２６０ｃを介して携帯用電子装置３００に伝達する。当該アナログ信号は、個々のベアセル２１０の個別の電圧情報を含んでもよい。また、アナログフロントエンド２５０は、電流検出素子２３０から伝達された電流検出素子２３０の両端間の電圧差をアナログ信号として第１情報端子２６０ｃを介して携帯用電子装置３００に伝達する。そして、アナログフロントエンド２５０は、温度検出素子２４０から伝達されたベアセル２１０の温度値をアナログ信号として第１情報端子２６０ｃを介して携帯用電子装置３００に伝達する。また、アナログフロントエンド２５０は、第１制御信号端子２６０ｄを介して携帯用電子装置３００から入力されたデジタル制御信号に応じて、充放電スイッチングモジュール２２０の充電ＦＥＴ２２１ａと放電ＦＥＴ２２２ａのオン・オフを調節することで、充電電流及び放電電流の流れを断続する。
【００４１】
多数の外部端子２６０ａ、２６０ｂ、２６０ｃ、２６０ｄは、第１正極端子２６０ａ、第１負極端子２６０ｂ、第１情報端子２６０ｃ及び第１制御信号端子２６０ｄを含む。第１正極端子２６０ａと第１負極端子２６０ｂは、大電流経路１０上でベアセル２１０の正極２１１と負極２１２にそれぞれ電気的に連結される。第１正極端子２６０ａと第１負極端子２６０ｂは携帯用電子装置３００と電気的に連結され、それによって充放電電流が流れるようになる。
【００４２】
第１情報端子２６０ｃはアナログフロントエンド２５０と電気的に連結される。第１情報端子２６０ｃを介してアナログフロントエンド２５０が伝送する二次電池２００の情報がアナログ信号として携帯用電子装置３００に伝達される。ここで、第１情報端子２６０ｃを介して携帯用電子装置３００に伝達される二次電池２００の情報は、ベアセル２１０の電圧信号、電流検出素子２３０の両端間の電圧差信号及び温度検出素子２４０によって測定されたベアセル２１０の温度信号を含む。
【００４３】
第１制御信号端子２６０ｄはアナログフロントエンド２５０と電気的に連結される。第１制御信号端子２６０ｄを介して携帯用電子装置３００からのデジタル制御信号がアナログフロントエンド２５０に伝達される。携帯用電子装置３００からのデジタル制御信号がアナログフロントエンド２５０に伝達される経路は、従来のＳＭバス（ｂｕｓ）により形成されることができる。
【００４４】
携帯用電子装置３００は、電源供給部３１０、Ａ／Ｄ変換器（ｃｏｎｖｅｒｔｅｒ）３１２、ＭＰＵ３２０及び多数の外部端子３３０ａ、３３０ｂ、３３０ｃ、３３０ｄを備える。
【００４５】
電源供給部３１０は、ＭＰＵ３２０によって制御されるスイッチング素子（図示せず）と外部の交流電源を直流電源に変換して供給するアダプタ（図示せず）を含んで形成されることができる。電源供給部３１０は、二次電池２００に充電電流を供給するか、二次電池２００の放電電流を携帯用電子装置３００の電源として供給する働きをする。また、電源供給部３１０は、二次電池２００が充電状態である時、外部の電源を直接携帯用電子装置３００の電源として供給することもできる。
【００４６】
Ａ／Ｄ変換器３１２は、二次電池２００からアナログ信号として伝達された二次電池２００の情報をデジタル信号に変換してＭＰＵ３２０に伝達する。
【００４７】
ＭＰＵ３２０は、マイクロプロセッサ（図示せず）と、マイクロプロセッサと電気的に連結される受動素子（図示せず）、能動素子（図示せず）及びメモリ（図示せず）を含んで形成される。ＭＰＵ３２０は、二次電池２００のアナログフロントエンド２５０に二次電池２００の情報を要請するデジタル制御信号を出力する。ＭＰＵ３２０は、Ａ／Ｄ変換器３１２を介してデジタル信号として伝達された二次電池２００の情報を受信する。ＭＰＵ３２０に伝達された二次電池２００の情報は、ベアセル２１０の電圧信号、電流検出素子２３０の両端間の電圧差信号及び温度検出素子２４０によって測定されたベアセル２１０の温度信号を含む。ＭＰＵ３２０は、ベアセル２１０の電圧信号を通じて過放電状態、満放電状態、満充電状態、過充電状態を判断し、二次電池２００のアナログフロントエンド２５０にデジタル制御信号を出力する。また、ＭＰＵ３２０は、二次電池２００の電流検出素子２３０の両端間の電圧差信号を利用して二次電池２００の大電流経路１０に流れる充電電流または放電電流値を計算し、異常がある場合、二次電池２００のアナログフロントエンド２５０に充放電を中止させるデジタル制御信号を出力する。そして、ＭＰＵ３２０は、二次電池２００のベアセル２１０の温度信号を確認し、異常がある場合、二次電池２００の充放電を中止させるデジタル制御信号を出力する。そして、ＭＰＵ３２０は電源供給部３１０の動作を制御する信号を出力する。
【００４８】
多数の外部端子３３０ａ、３３０ｂ、３３０ｃ、３３０ｄは、第２正極端子３３０ａ、第２負極端子３３０ｂ、第２情報端子３３０ｃ及び第２制御信号端子３３０ｄを含む。第２正極端子３３０ａと第２負極端子３３０ｂは電源供給部３１０と電気的に連結され、二次電池２００が携帯用電子装置３００に装着された時、二次電池２００の第１正極端子２６０ａ及び第１負極端子２６０ｂとそれぞれ接続されて充放電電流の経路を形成する。
【００４９】
第２情報端子３３０ｃはＡ／Ｄ変換器３１２に電気的に連結される。第２情報端子３３０ｃは、二次電池２００が携帯用電子装置３００に装着された時、二次電池２００の第１情報端子２６０ｃと接続され、第１情報端子２６０ｃを介して伝達されるアナログ信号をＡ／Ｄ変換器３１２に伝達する。
【００５０】
第２制御信号端子３３０ｄはＭＰＵ３２０と電気的に連結される。第２制御信号端子３３０ｄは、二次電池２００が携帯用電子装置３００に装着された時、二次電池２００の第１制御信号端子２６０ｄと接続され、ＭＰＵ３２０からのデジタル制御信号を二次電池２００に伝達する。
【００５１】
以下、図１に図示された二次電池の充放電システムを利用した二次電池の充放電制御方法を詳しく説明する。
【００５２】
図２を参照すると、本発明の一実施例に係る二次電池の充放電制御方法は、二次電池の情報を要請する段階Ｓ１０と、二次電池の情報を検出する段階Ｓ２０と、二次電池の情報を伝達する段階Ｓ３０と、二次電池の状態を確認する段階Ｓ４０と、二次電池に制御信号を伝達する段階Ｓ５０を備える。
【００５３】
以下、図１及び図２を参照して各段階を詳しく説明する。
【００５４】
まず、二次電池の情報を要請する段階Ｓ１０では、携帯用電子装置３００のＭＰＵ３２０が二次電池２００のアナログフロントエンド２５０に二次電池２００の情報を要請するデジタル制御信号を伝達する。二次電池２００の情報を要請するデジタル制御信号は、二次電池２００の第１制御信号端子２６０ｄと携帯用電子装置３００の第２制御信号端子３３０ｄとの接続によって形成された経路を介して伝達される。
【００５５】
次に、二次電池の情報を検出する段階Ｓ２０では、二次電池２００のアナログフロントエンド２５０がベアセル２１０の開路電圧を検出し、電流検出素子２３０の両端間の電圧差を検出して、温度検出素子２４０からベアセル２１０の温度信号を検出する。この時、検出された値は全てアナログ信号である。
【００５６】
次に、二次電池の情報を伝達する段階Ｓ３０では、アナログフロントエンド２５０がベアセル２１０の電圧信号、電流検出素子２３０の両端間の電圧差信号及び温度検出素子２４０によって測定されたベアセル２１０の温度信号をアナログ信号として第１情報端子２６０ｃ及び第２情報端子３３０ｃを介して携帯用電子装置３００に伝達する。この時、ベアセル２１０の電圧信号としては、携帯用電子装置３００の電圧レベルに合わせてスケーリングされた値が伝達される。以後、第２情報端子３３０ｃを介して入力されたアナログ信号としての二次電池２００の情報は、携帯用電子装置３００のＡ／Ｄ変換器３１２によってデジタル信号に変換されて、携帯用電子装置３００のＭＰＵ３２０に伝達される。
【００５７】
次に、二次電池の状態を確認する段階Ｓ４０では、携帯用電子装置３００のＭＰＵ３２０がＡ／Ｄ変換器３１２を介して入力された二次電池２００の情報を確認する。ＭＰＵ３２０は、ベアセル２１０の電圧信号を通じて過放電状態、満放電状態、満充電状態、過充電状態を確認する。また、ＭＰＵ３２０は、二次電池２００の電流検出素子２３０の両端間の電圧差信号を利用して、二次電池２００の大電流経路１０に流れる充電電流または放電電流値を計算して、異常有無を判断する。そして、ＭＰＵ３２０は、二次電池２００のベアセル２１０の温度信号を確認して異常有無を判断する。
【００５８】
次に、二次電池に制御信号を伝達する段階Ｓ５０では、ＭＰＵ３２０がアナログフロントエンド２５０に第１制御信号端子２６０ｄと第２制御信号端子３３０ｄを介してデジタル制御信号を出力する。デジタル制御信号は、二次電池２００の充放電スイッチングモジュール２２０の充電ＦＥＴ２２１ａ及び放電ＦＥＴ２２２ａの動作を制御する信号である。ＭＰＵ３２０は、ベアセル２１０の電圧、充放電電流及びベアセル２１０の温度に異常があることを確認した場合、充放電を中止させるデジタル制御信号を出力する。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１００：充放電システム
２００：二次電池
２１０：ベアセル
２２０：充放電スイッチングモジュール
２３０：アナログフロントエンド
２４０：電流検出素子
２５０：温度検出素子
２６０ａ：第１正極端子
２６０ｂ：第１負極端子
２６０ｃ：第１情報端子
２６０ｄ：第１制御信号端子
３００：携帯用電子装置
３１０：電源供給部
３２０：ＭＰＵ
３３０ａ：第２正極端子
３３０ｂ：第２負極端子
３３０ｃ：第２情報端子
３３０ｄ：第２制御信号端子
【図１】
2010183829.tif 000003
【図２】
2010183829.tif 000004